(57)【要約】【課題】  配線基板の端子部がコネクタに正常に装着されたことを確認でき、しかもその確認を実現するための構成のコストが低い電気光学装置を提供する。【解決手段】  液晶パネル２に接続されると共にコネクタに接続される端子部１３を有する配線基板３を有する電気光学装置である。配線基板３には、導電性材料からなる接地された配線パターン１４が端子１５の周辺に形成される。配線パターン１４によってコネクタに対する位置を示すマーク２５が形成される。配線パターン１４は接地用ベタパターンとすることができ、マーク２５はその接地用ベタパターン１４内にスリット形状に形成でできる。端子部１３をコネクタに接続した後、マーク２５とコネクタとを見比べることにより、端子部１３へのコネクタの接続が正常か否かを確認できる。【選択図】        図１
2006278828.tif 000002
【特許請求の範囲】
【請求項１】
電気光学パネルと、
該電気光学パネルに接続されると共にコネクタに接続される端子部を有する配線基板とを有し、
前記配線基板には、導電性材料からなる接地された配線パターンが端子周辺に形成され、
前記配線パターンによって前記コネクタに対する位置を示すマークが形成される
ことを特徴とする電気光学装置。
【請求項２】
請求項１記載の電気光学装置において、前記端子部は第１面に端子を有し、第１面の裏面である第２面に前記配線パターンである接地用ベタパターンを有し、前記マークは該接地用ベタパターンの一部を除去して形成されることを特徴とする電気光学装置。
【請求項３】
請求項２記載の電気光学装置において、前記マークはスリット形状であることを特徴とする電気光学装置。
【請求項４】
請求項２又は請求項３記載の電気光学装置において、前記マークは前記コネクタへの前記端子部の接続方向に対して直角方向に延びる形状であることを特徴とする電気光学装置。
【請求項５】
請求項１から請求項４のいずれか１つに記載の電気光学装置において、前記端子部の幅をＢとし、前記スリットの前記端子部の幅方向の合計の長さをＡとするとき、
Ａ≦（２Ｂ／３）
であることを特徴とする電気光学装置。
【請求項６】
電気光学パネルと、
該電気光学パネルに接続されると共にコネクタに接続される端子部を有する配線基板とを有し、
前記配線基板は、前記端子部の側辺に設けられた切欠きによって前記コネクタに対する位置を示すマークを有する
ことを特徴とする電気光学装置。
【請求項７】
請求項１から請求項６のいずれか１つに記載の電気光学装置を有することを特徴とする電子機器。
【発明の詳細な説明】
【技術分野】
【０００１】
本発明は、液晶表示装置等といった電気光学装置に関する。また、本発明はその電気光学装置を用いて構成される電子機器に関する。
【背景技術】
【０００２】
現在、携帯電話機、携帯情報端末機等といった電子機器に液晶表示装置等といった電気光学装置が広く使用されている。例えば、電子機器に関する各種の情報を文字、数字、図形等といった画像として表示する際に電気光学装置が用いられている。この電気光学装置として、従来、電気光学パネルにＦＰＣ（Flexible Printed Circuit）基板等といった配線基板を接続し、さらにその配線基板の端子部をコネクタに接続する構造を有するものが知られている（例えば、特許文献１及び特許文献２参照）。
【０００３】
【特許文献１】実開昭６２−０３６５７１号公報（第４頁、第２図）
【特許文献２】特開平７−１９１３３９号公報（第４〜５頁、図２）
【発明の開示】
【発明が解決しようとする課題】
【０００４】
しかしながら、上記従来の電気光学装置では、電気光学装置を製造する者が配線基板の端子部がコネクタに正常に装着されたか否かを確認することができず、不良品が発生するおそれがあった。
【０００５】
本発明は、上記の問題点に鑑みて成されたものであって、配線基板の端子部がコネクタに正常に装着されたことを確認できる電気光学装置及び電子機器を提供することを目的とする。また、その確認を可能とするための構成のコストが低い電気光学装置及び電子機器を提供することを目的とする。
【課題を解決するための手段】
【０００６】
本発明に係る第１の電気光学装置は、電気光学パネルと、該電気光学パネルに接続されると共にコネクタに接続される端子部を有する配線基板とを有し、前記配線基板には、導電性材料からなる接地された配線パターンが端子周辺に形成され、前記配線パターンによって前記コネクタに対する位置を示すマークが形成されることを特徴とする。
【０００７】
上記構成において、電気光学パネルは、電気的な入力条件を制御することにより、光学的な出力状態を変化させることができるパネル構造体である。また、電気光学パネルは、液晶等といった電気光学物質を含むパネル構造体であって、その電気光学物質の電気光学的な作用を利用して表示を実現するものである。この電気光学パネルは、例えば、ガラス等から成る基板上に電気光学物質を配置したり、一対の基板間に電気光学物質を封入することによって形成される。この電気光学物質として、例えば液晶を用いれば、電気光学パネルとしての液晶パネルが構成される。
【０００８】
配線基板は、例えばＦＰＣ基板である。このＦＰＣ基板は、例えば、可撓性のベースフィルム上に銅（Ｃｕ）等といった導電材料によって所定パターンの配線パターンを形成し、その上にカバーレイ、レジスト等といった保護膜を形成することによって形成される。配線パターンはベースフィルムの片面に形成されることもあるし、ベースフィルムの表裏両面に形成されることもある。配線パターンをベースフィルムの表裏両面に形成する場合には、ベースフィルムに形成したスルーホールによってそれら表裏両面の配線パターンを導通させる。
【０００９】
配線基板上に配線パターンをパターニングする手法としては、例えば、フォトリソグラフィ処理及びそれに続くエッチング処理を含んだ一連の処理、すなわちフォトエッチング処理を利用できる。
【００１０】
上記構成の本発明に係る第１の電気光学装置によれば、端子部に位置確認用のマークを設けたので、そのマークとコネクタとの相対的な位置関係を確認することにより、コネクタが端子部へ正常に装着されたか否かを、正確に確認できる。また、そのマークは、パターニングによって配線パターンを形成する際にその配線パターンそれ自体によって形成されるので、コストが高くなることがほとんど無い。
【００１１】
次に、本発明に係る第１の電気光学装置において、前記端子部は第１面に端子を有し、第１面の裏面である第２面に前記配線パターンである接地用ベタパターンを有することができる。そしてその場合、前記マークは該接地用ベタパターンの一部を除去して形成されることが望ましい。
【００１２】
配線基板において接地用パターンは、配線基板上に形成される回路の基準電位を構成するために用いられる。また、ベタパターンとは、導電線がはい回されて成るパターンではなくて所定の領域内の全面に均一な膜厚で設けられたパターンのことである。端子部の端子が形成された面の裏面に形成された接地用ベタパターンは、上記のように回路の基準電位を構成することに加えて、端子にノイズが入ることを防止する機能も果たす。
コネクタに対する位置を確認するためのマークを接地用ベタパターンの一部を除去することによって形成すれば、マークのために特別の材料及び特別の工程を用いる必要がなくなるので、コストが高くなることを抑えることができる。
【００１３】
次に、本発明に係る第１の電気光学装置において、前記マークはスリット形状であることが望ましい。スリット形状とは、細長い形状のことである。マークをスリット形状によって形成すれば、端子部とコネクタとの相対位置を容易且つ正確に確認できるようになる。
【００１４】
次に、本発明に係る第１の電気光学装置において、前記マークは前記コネクタへの前記端子部の接続方向、すなわち端子部をコネクタに挿入する方向、に対して直角方向に延びる形状であることが望ましい。こうすれば、端子部とコネクタとの相対位置を容易且つ正確に確認できるようになる。
【００１５】
次に、本発明に係る第１の電気光学装置において、前記端子部の幅を「Ｂ」とし、前記スリットの前記端子部の幅方向の合計の長さを「Ａ」とするとき、
Ａ≦（２Ｂ／３）
であることが望ましい。一般に、端子部にベタパターンを形成すると端子部の剛性が高くなってコネクタへの接続作業を安定して行うことが可能となる。しかしながらこの場合、ベタパターンを除去することによって形成されるマークの面積が大きくなると、端子部の剛性が低下して、コネクタへの接続作業が行い難くなるおそれがある。これに対し、スリットの長さを規制してベタパターンの面積が必要以上に減少することを抑えれば、端子部の剛性が許容限界以上に低くなることを防止でき、それ故、端子部のコネクタへの接続作業に支障が出ることを防止できる。上記の条件は、端子部の剛性を十分に確保できると考えられる条件である。
【００１６】
次に、本発明に係る第２の電気光学装置は、電気光学パネルと、該電気光学パネルに接続されると共にコネクタに接続される端子部を有する配線基板とを有し、前記配線基板は、前記端子部の側辺に設けられた切欠きによって前記コネクタに対する位置を示すマークを有することを特徴とする。
【００１７】
上記第１の電気光学装置では、配線基板の配線パターンをパターニングによって形成する際に、同時に、マークを形成するようにした。これに対し、上記第２の電気光学装置では、配線パターンの形成工程とは関係なく、配線基板それ自体に切欠きを設けることによってマークを形成するようにした。この切欠きの位置とコネクタの位置とを対比することにより、コネクタが端子部に正常に装着されているか否かを簡単且つ正確に確認できる。また、配線基板それ自体に切欠きを設けることは、配線基板を部分的に除去するだけの処理であるので、コストが過剰に高くなることはない。
【００１８】
次に、本発明に係る電子機器は、以上に記載した構成の電気光学装置を有することを特徴とする。本発明に係る電気光学装置によれば、配線基板の端子部を常に正確にコネクタに装着できるので、常に安定して表示動作を行うことができる。従って、この電気光学装置を用いた電子機器においても、常に安定して電気光学装置を作動させて、必要な表示を安定して行うことができる。
【発明を実施するための最良の形態】
【００１９】
（電気光学装置の第１実施形態）
以下、本発明に係る電気光学装置を電気光学装置の一例である液晶表示装置に適用した場合の実施形態を例に挙げて説明する。なお、本発明がその実施形態に限定されないことはもちろんである。また、これ以降の説明では図面を用いて各種の構造を例示するが、これらの図面に示される構造は特徴的な部分を分かり易く示すために実際の構造に対して寸法を異ならせて示す場合があることに注意を要する。
【００２０】
図１は、本発明に係る電気光学装置の一実施形態である液晶表示装置１を分解状態で示している。また、図２はこの液晶表示装置１を組み立てた状態を示している。図１において、液晶表示装置１は、電気光学パネルとしての液晶パネル２と、その液晶パネル２に接続された配線基板としてのＦＰＣ基板３と、導光体４と、フレーム８とを有する。導光体４は光入射面４ａ及び光出射面４ｂを有する。液晶パネル２は文字、数字、図形等といった画像を表示するものであり、矢印Ａが描かれた側がその表示を観察する観察側である。
【００２１】
ＦＰＣ基板３は、例えば、可撓性のベースフィルムと、そのベースフィルムの上に銅（Ｃｕ）等によって適宜のパターンで形成された配線パターンと、その配線パターンを覆うカバーレイ、レジスト等といった保護膜とを有する。配線パターンはベースフィルムの片側表面だけに形成される場合もあるし、ベースフィルムの表裏両面に形成される場合もある。配線パターンをベースフィルムの表裏両面に形成する場合には、ベースフィルムの適所に設けたスルーホールによって両面の配線パターンの導通をとることができる。配線パターンを適宜のパターンに形成する処理、すなわちパターニングは、例えば、フォトリソグラフィ処理及びそれに引き続くエッチング処理より成る一連の処理、いわゆるフォトエッチング処理によって行うことができる。
【００２２】
ＦＰＣ基板３は矢印Ｍで示すように曲げられて、その先端側の一部領域が液晶パネル２の背面、すなわちフレーム８の背面に配置されるものであるが、そのように曲げられたときに外側になる表面Ｓ１には回路部品７、例えば、抵抗素子、コイル、コンデンサ、制御用ＩＣ、電源ＩＣが適所に実装される。これらの回路部品は、例えば、液晶パネル２を駆動するための駆動回路を構成する。また、曲げられて内側となる表面Ｓ２には複数（本実施形態では２個）のＬＥＤ（Light Emitting Diode）６が光源として実装されている。ＬＥＤ６は、ＦＰＣ基板３が矢印Ｍのように曲げられてフレーム８の背面に配置されたときに導光体４の光入射面４ａに対向することになる。このときに光入射面４ａに対向する導光体４の側面が導光体４の発光面である。
【００２３】
ＦＰＣ基板３は、外部の回路、例えば携帯電話機等といった電子機器に設けられるホスト制御部につなげられるための端子部１３を有する。この端子部１３の表面Ｓ１側には接地用ベタパターン１４が形成されている。また、端子部１３の表面Ｓ２側には複数の端子１５が形成されている。接地用ベタパターン１４及び端子１５は、いずれも、Ｃｕ等といった導電性金属を材料としてパターニング、例えばフォトエッチング処理によって形成される。接地用ベタパターン１４の上にはカバーレイ等といった保護膜が形成される。また、必要に応じて強度を高めるための補強膜がさらに形成される。保護膜及び補強膜は、いずれも、ポリイミド等によって形成できる。端子１５の上には保護膜は設けられない。電気的な導通を確保するためである。
【００２４】
次に、導光体４の光出射面４ｂ上に光学要素９及び１０が設けられる。光学要素９としては、例えば、光拡散シート、１枚のプリズムシート、プリズム面が相対向する２枚のプリズムシート等のうちの１つ又はそれらの組合せが用いられる。また、もう１つの光学要素１０として本実施形態では粘着／遮光シートが設けられる。この粘着／遮光シート１０は、その表裏両面に粘着剤が塗布されていてその表裏両面が他の部材に粘着する性質を持っている。粘着とは、対象となる一対の物を人手によって剥がすことができる程度に接着する意味であり、容易には剥がすことができないように固着するよりも簡単に接着することである。
【００２５】
また、粘着／遮光シート１０には光を透過させない処理、例えば黒色の材料層がその全面に設けられている。また、粘着／遮光シート１０には導光体４の光出射面４ａと略同じか、それよりも少し大きい面積の開口Ｋ１が設けられている。この開口Ｋ１を通して導光体４から液晶パネル２へ面状の光が供給される。
【００２６】
次に、導光体４の光出射面４ｂと反対側の面には、他の光学要素１１が設けられる。この光学要素１１としては、例えば、光反射シート等が用いられる。また、光学要素１１を用いることに代えて又はそれに加えて、導光体４の表面に光反射用の凹凸パターン又はプリズム形状を形成することも考えられる。本実施形態において、導光体４、ＬＥＤ６、光学要素９、及び光学要素１１は、液晶パネル２へ面状の光を供給するための照明装置を構成する。この照明装置は、観察側である矢印Ａ方向から見て液晶パネル２の背面に設けられて、いわゆるバックライトとして機能する。
【００２７】
次に、液晶パネル２は、単純マトリクス型液晶パネル、アクティブマトリクス型液晶パネル、その他任意の方式の液晶パネルのいずれかによって構成される。単純マトリクス型はスイッチング素子を用いない液晶パネルであり、アクティブマトリクス型はスイッチング素子を用いた液晶パネルである。スイッチング素子としては、例えば、２端子型の非線形抵抗素子であるＴＦＤ（Thin Film Diode）素子や、３端子型のアクティブ素子であるＴＦＴ（Thin Film Transistor）素子等が用いられる。
【００２８】
また、使用される電気光学物質としての液晶としては、ＴＮ（Twisted Nematic）液晶、ＳＴＮ（Super Twisted Nematic）液晶、その他の種々の液晶を用いることができる。また、本実施形態の液晶表示装置は照明装置をバックライトとして用いる透過型又は半透過反射型の採光方式を用いるが、これに代えて、太陽光、室内光等といった外部光を用いる反射型の採光方式や、照明装置をフロントライトとして用いる反射型の採光方式を用いることもできる。
【００２９】
例えば、ＴＦＤ素子をスイッチング素子として用いた半透過反射型のカラー表示可能なアクティブマトリクス型の液晶パネルを用いるものとすれば、液晶パネル２は、例えば、次のように構成される。すなわち、液晶パネル２は、ガラス、プラスチック等によって形成された透光性の第１基板１６と、同じくガラス、プラスチック等によって形成された透光性の第２基板１７とを有する。第１基板１６の外側表面には偏光板１８ａが貼着等によって装着される。また、第２基板１７の外側表面には偏光板１８ｂが貼着等によって装着される。偏光板１８ａの偏光透過軸と偏光板１８ｂの偏光透過軸は、互いに所定の角度だけずらせてある。
【００３０】
第１基板１６の内側表面には、例えば、複数のＴＦＤ素子が矢印Ａ方向から見て、個々にはドット状に、全体としてはマトリクス状に形成される。そして、個々のＴＦＤ素子に対応して１つずつの画素電極がＩＴＯ（Indium Tin Oxide）等といった金属酸化物によってドット状に形成される。また、複数の画素電極の上に配向膜がポリイミド等によって形成され、その配向膜に配向処理、例えばラビングが施される。
【００３１】
一方、第２基板１７の内側表面には、例えば、カラーフィルタ層が形成され、その上にオーバーコート膜が形成され、その上に複数の帯状電極が形成され、その上に配向膜が形成され、その配向膜に配向処理、例えばラビング処理が施される。カラーフィルタ層は、例えば、Ｂ（青色）、Ｇ（緑色）、Ｒ（赤色）や、Ｃ（シアン）、Ｍ（マゼンタ）、Ｙ（イエロー）等といった３原色の着色要素と、それらの着色要素を囲んでブラックマスクとして機能する遮光部材とによって形成される。
【００３２】
ＴＦＤ素子及びその他の各要素が形成された状態の第１基板１６と、カラーフィルタ層及びその他の各要素が形成された状態の第２基板１７とは、所定の隙間、いわゆるセルギャップが形成されるように、正方形又は長方形で環状のシール材１２によって互いに貼り合わされる。シール材１２の適所には予め開口１２ａが設けられ、この開口１２ａを通して上記のセルギャップ内へ液晶が注入され、その液晶の注入後、開口１２ａが樹脂によって封止される。第１基板１６は第２基板１７の外側へ張り出す張出し部１９を有し、その張出し部１９の表面に駆動用ＩＣ２１が実装されている。この実装は、例えば、ＡＣＦ（Anisotropic Conductive Film）を用いたＣＯＧ（Chip On Glass）技術によって行われる。
【００３３】
ＴＦＤ素子等が形成された第１基板１６上には、１本１本が列方向Ｙに延びると共に行方向Ｘに平行に並べられた複数のデータ線が形成され、そしてこれらのデータ線に沿って上記の複数のドット状の画素電極がマトリクス状に形成される。また、カラーフィルタ層等が形成された第２基板１７上には、１本１本が行方向Ｘに延びると共に列方向Ｙに平行に並べられた複数の帯状電極が走査線として形成される。複数の帯状電極と複数の画素電極は矢印Ａ方向から平面的に見て、マトリクス状に並ぶ複数のドット領域で重なり合い、これらのドット領域の１つ１つが表示の最小単位であるサブ画素を形成する。そして、これら複数のサブ画素が集まって表示領域Ｖが形成される。
【００３４】
表示の最小単位をサブ画素と呼ぶのは、例えば、Ｂ，Ｇ，Ｒの３原色によってカラー表示を行う場合にＢ，Ｇ，Ｒの各色に属する３つのサブ画素の集まりによって１つの画素が形成されることを考慮して、その１つの画素を形成する個々の画素という意味でサブ画素と呼ぶものである。なお、白黒又は任意の２色によるモノカラー表示を行う場合には、個々のサブ画素によって１つの画素が形成される。
【００３５】
第１基板１６上に形成される複数の画素電極は、ＴＦＤ素子及びデータ線を介して駆動用ＩＣ２１の出力端子に接続される。そして、その駆動用ＩＣ２１から各データ線へデータ信号が供給される。一方、第２基板１７上に形成された複数の帯状電極は、駆動用ＩＣ２１の他の出力端子に接続される。そして、その駆動用ＩＣ２１から各帯状電極へ走査信号が供給される。
【００３６】
次に、フレーム８は樹脂を材料とする成形加工によって形成されている。詳しくは図示していないが、このフレーム８はその内周面の所定位置に内側へ張り出す複数の張出し部を備えており、それらの張出し部の働きによって次の作用を奏する。
（１）  フレーム８は、図３に示すように導光体４を、矢印Ａで示す観察側から見て奥側の端縁Ｅ１に近い所定位置に支持して収容する。しっかりと支持するために、フレーム８の内側への張出し部と導光体４の底面とを粘着材で粘着しても良い。
（２）  フレーム８は、図３に示すように液晶パネル２を、矢印Ａで示す観察側から見て手前側の端縁Ｅ２に近い位置に支持して収容する。具体的には、液晶パネル２は粘着／遮光シート１０によって、フレーム８の内側への張出し部に粘着されて支持される。
【００３７】
次に、図１に示す分解状態の液晶表示装置１を組み立てる際には、先ず、導光体４をフレーム８の中の所定位置に装着する。次に、導光体４の光出射面４ｂに光学要素９を装着し、導光体４の光出射面４ｂと反対側の面に光学要素１１を装着する。
【００３８】
次に、フレーム８の中であって光学要素９の周囲に存在するフレーム８の張出し部に粘着／遮光シート１０を粘着し、さらにフレーム８の中であってそのシート１０の上の空間に液晶パネル２を入れてシート１０に粘着する。このとき、液晶パネル２の基板張出し部１９に接続されたＦＰＣ基板３はフレーム８の側壁の開放部２９を通って外部へ引き出される。以上により、液晶パネル２、導光体４、及びその他の附属する要素が、図２に示すように、フレーム８の中に収容される。この状態を矢印Ｂ方向から見ると、図４（ａ）に示す通りである。
【００３９】
次に、図２において矢印Ｍで示すように、ＦＰＣ基板３を液晶パネル２へ向けて曲げ、そのＦＰＣ基板３の先端側の一部領域を図３に示すように、光学要素１１を介して導光体４の裏側の面に当接させる。このとき、ＦＰＣ基板３の表面Ｓ２に実装したＬＥＤ６の発光面が導光体４の光入射面４ａに対向する位置に配置される。必要があれば、光学要素１１の裏面に当接したＦＰＣ基板３は、両面粘着テープ、あるいはその他の接着手段によって、その当接状態に固定される。
【００４０】
次に、図２において、ステンレスその他の金属製の枠部材２２がフレーム８の裏側からそのフレーム８の側面に装着される。枠部材２２は細長い開口２３を有しており、その枠部材２３がフレーム８に装着されたとき、図５（ａ）に示すように、ＦＰＣ基板３上の回路部品７がその開口２３を通して外部へ露出する。つまり、開口２３は回路部品７が枠部材２２にぶつかることを回避するための逃げの役目を果たしている。以上により、液晶表示装置１が完成し、この液晶表示装置１が携帯電話機、携帯情報端末機等といった電子機器の所定の設置個所に設置される。
【００４１】
図３において、液晶表示装置１の周囲の外部光の強度が高い場合、液晶パネル２の内部に入った外部光が、予めその液晶パネル２の内部に設けた反射膜で反射して、その液晶パネル２の内部の液晶層に供給される。この反射光を利用して反射型表示を行うことができる。他方、液晶表示装置１の周囲の外部光の強度が低い場合、ＦＰＣ基板３に実装された電源ＩＣからＬＥＤ６へ電力が供給されてそのＬＥＤ６が発光し、その光が光入射面４ａから導光体４の内部へ導入される。導入された光は導光体４の内部を進む間に光学的条件が満たされたときに光出射面４ｂから面状の光となって液晶パネル２の内部の液晶層に透過光として供給される。この透過光によって透過型表示を行うことができる。
【００４２】
以上のようにして反射型又は透過型のいずれかによって液晶層に光が供給される間、液晶パネル２の第２基板１７上の各帯状電極に、駆動用ＩＣ２１から走査信号が供給される。また同時に、液晶パネル２の第１基板１６上の各画素電極に属するＴＦＤ素子に駆動用ＩＣ２１からデータ信号が供給される。これらの信号供給により、液晶層に印加される電圧がサブ画素ごとに制御され、これにより、液晶層内の液晶分子の配向がサブ画素ごとに制御され、これにより、液晶層を通過する光がサブ画素ごとに変調され、その結果、表示領域Ｖ内に文字、数字、図形等といった画像が表示されて矢印Ａ方向から観察者によって視認される。
【００４３】
図５（ａ）において、液晶表示装置１内のＦＰＣ基板３の端子部１３は、携帯電話機等といった電子機器に設けられるコネクタ２４に図５（ｂ）に示すように差し込まれて接続される。このとき、端子部１３の内側表面Ｓ２に形成された端子１５がコネクタ２４内の端子に導電接続し、ＦＰＣ基板１３上の回路と電子機器内の回路とが電気的につなげられる。
【００４４】
図５（ａ）において、端子部１３の外側表面Ｓ１にフォトエッチング処理等によって接地用ベタパターン１４がパターニングされることは既述の通りである。このパターニングの際、接地用ベタパターン１４の幅方向の両端には左右一対のマーク２５がパターニングによって、すなわち、接地用ベタパターンをパターニングによって形成する際に同時にその接地用ベタパターンを除去することによって形成される。一対のマーク２５はスリット、すなわち、細長い形状に形成されている。これらのスリットはコネクタ２４が挿入される方向Ｃに交差する方向、本実施形態では方向Ｃに対して直角の方向に延びるように形成されている。
【００４５】
マーク２５は端子部１３の差込側の先端から見て、コネクタ２４に対する端子部１３の差込み深さよりも少し長い距離の所に設けられている。従って、端子部１３がコネクタ２４へ正常に差し込まれたときには、図５（ｂ）に示すように、コネクタ２４の差込側の先端の近傍の外側にマーク２５が位置するようになっている。液晶表示装置１を電子機器に組み込む作業を行う者は、その作業の終了時にマーク２５とコネクタ２４との位置関係を目視又はテレビカメラを通じた画像認識によって確認し、その位置関係が予め決められた状態であるか、そうでないかを確認することにより、端子部１３がコネクタ２４に正常に装着されたか否かを簡単且つ正確に知ることができる。
【００４６】
また、本実施形態では、端子部１３の表面に接地用ベタパターン１４をパターニングによって形成する際にマーク２５をパターニングによって同時に形成するようにしたので、マーク２５を形成するための工程が不要であり、マーク２５を簡単且つ低コストで作成できる。
【００４７】
なお、以上の説明ではコネクタ２４が電子機器に含まれるものであることを説明した。しかしながら、コネクタ２４は電子機器の構成要素に限られるものでなく、電気光学装置それ自身の中に設けられる場合もある。例えば、近年では、主たる表示を行うメインの液晶パネルと副次的な表示を行うサブの液晶パネルの２つの液晶パネルを用いる電気光学装置がしばしば見受けられる。このような電気光学装置では、メインパネル側のＦＰＣ基板とサブパネル側のＦＰＣ基板とを電気的に接続するために、一方の配線基板に端子部を設け、他方の配線基板にコネクタを設け、それらの端子部とコネクタとを接続することがある。このような場合でも、本発明に従って配線基板の端子部の適所にマーク２５を設けることができる。
【００４８】
（変形例）
ＦＰＣ基板３の端子部１３をコネクタ２４へ挿入する際の目印となるマーク２５は図５（ａ）に示したものに限られず、種々に改変を加えることができる。例えば、図６（ａ）に符号２５Ａで示すように、接地用ベタパターン１４の幅方向へほぼ均等な間隔で直線状に並べられた複数の島状のスリットとして形成できる。また、図６（ｂ）に符号２５Ｂで示すように、接地用ベタパターン１４の幅方向の中央部分に並べられた比較的長い一対のスリットとして形成することもできる。また、図６（ｃ）に符号２５Ｃで示すように、コネクタの挿入方向、すなわち接続方向に対して平行の方向に延びるスリット形状として形成することもできる。
【００４９】
なお、図１、図６（ａ）、及び図６（ｂ）において、端子部１３の幅を「Ｂ」とし、スリット形状のマーク２５、２５Ａ、２５Ｂの端子部１３の幅方向についての合計の長さを「Ａ」とするとき、ＡとＢとの関係は、Ａ≦（２Ｂ／３）に設定される。その理由は次の通りである。接地用ベタパターン１４はＣｕその他の導電性の金属材料によって形成されるものであって比較的剛性の高いものである。このパターン１４をマーク２５、２５Ａ、２５Ｂのために除去するとパターン１４の全体的な剛性が低下する。この低下の度合いが大き過ぎると、端子部１３をコネクタ２４に差し込んだときに、端子部１３がコネクタ２４からの機械的な負荷に耐えられなくて、端子部１３が変形又は損傷を生じるおそれがある。これに対し、マーク２５等の寸法を上記の条件に設定すれば、端子部１３の剛性が大きく低下することを防止でき、端子部１３を安定して確実にコネクタ２４へ差し込むことができる。
【００５０】
ここで、Ａ≦（２Ｂ／３）としたのは、本発明者の実験の結果に従ったものであり、Ａ＞（２Ｂ／３）とすると端子部１３が機械的に弱くなってコネクタ２４へ差し込んだときに端子部１３に変形や損傷が見受けられたためである。
【００５１】
（電気光学装置の第２実施形態）
図６（ｄ）は本発明に係る電気光学装置の他の実施形態を示している。この実施形態が図１に示した先の実施形態と異なる点は、端子部１３の接地用ベタパターン１４を部分的に除去してマーク２５を作成することに代えて、端子部１３の側辺１３ａ及び１３ｂに位置確認のために目視できる切欠き２６，２６を設けたことである。
【００５２】
これらの切欠き２６は端子部１３の先端辺１３ｃから等距離の所に設けても良いし、あるいは、先端辺１３ｃからの距離を意図的に異ならせて設けても良い。また、切欠き２６の形状は、図６（ｄ）に示す本実施形態では長円形状の一部分又は半円形状としているが、切欠き２６の形状は特定の形状に限られるものではなく、例えば、三角形状の切欠き、、楕円形状の切欠き、四角形状の切欠き等とすることができる。
【００５３】
コネクタへの接続状態を検査するためのマークを切欠き２６によって形成するようにした本実施形態によれば、切欠き２６は端子部１３の側辺に設けられるので、端子部１３をコネクタに差し込んだときに行われる、切欠き２６とコネクタ２４との目視による判断を正確に行うことができる。また、切欠き２６は端子部１３を部分的に除去することによって形成されるものであり、特別の材料を使うものではないので、コストが高くなることもない。
【００５４】
（電子機器の実施形態）
以下、本発明に係る電子機器を実施形態を挙げて説明する。なお、この実施形態は本発明の一例を示すものであり、本発明はこの実施形態に限定されるものではない。
【００５５】
図７は、本発明に係る電子機器の一実施形態を示している。ここに示す電子機器は、液晶装置１２１と、これを制御する制御回路１２０とを有する。制御回路１２０は、表示情報出力源１２４、表示情報処理回路１２５、電源回路１２６及びタイミングジェネレータ１２７によって構成される。そして、液晶装置１２１は液晶パネル１２２及び駆動回路１２３を有する。
【００５６】
表示情報出力源１２４は、ＲＡＭ(Random Access Memory)等といったメモリや、各種ディスク等といったストレージユニットや、ディジタル画像信号を同調出力する同調回路等を備え、タイミングジェネレータ１２７により生成される各種のクロック信号に基づいて、所定フォーマットの画像信号等といった表示情報を表示情報処理回路１２５に供給する。
【００５７】
次に、表示情報処理回路１２５は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１２３へ供給する。ここで、駆動回路１２３は、走査線駆動回路やデータ線駆動回路と共に、検査回路等を総称したものである。また、電源回路１２６は、上記の各構成要素に所定の電源電圧を供給する。
【００５８】
液晶装置１２１は、例えば、図１〜図３に示す液晶表示装置１を用いて構成できる。この液晶表示装置１によれば、ＦＰＣ基板の端子部と電子機器側のコネクタとの接続状態を端子部上のマークを観察することによって確認できるので、ＦＰＣ基板とコネクタとの間の接続不良を防止でき、液晶表示装置へ常に安定した電力供給及び信号供給を行うことができ、液晶表示装置によって常に安定した表示を行うことができる。従って、この液晶表示装置を用いて構成された電子機器においても安定した表示を行うことができる。
【００５９】
次に、図８は、本発明に係る電子機器の他の実施形態である携帯電話機を示している。ここに示す携帯電話機１３０は、本体部１３１と、これに開閉可能に設けられた表示体部１３２とを有する。液晶装置等といった電気光学装置によって構成された表示装置１３３は、表示体部１３２の内部に配置され、電話通信に関する各種表示は、表示体部１３２において表示画面１３４によって視認できる。本体部１３１には操作ボタン１３６が配列されている。
【００６０】
表示体部１３２の一端部にはアンテナ１３７が伸縮自在に取付けられている。表示体部１３２の上部に設けられた受話部１３８の内部には、図示しないスピーカが配置される。また、本体部１３１の下端部に設けられた送話部１３９の内部には図示しないマイクが内蔵されている。表示装置１３３の動作を制御するための制御部は、携帯電話機の全体の制御を司る制御部の一部として、又はその制御部とは別に、本体部１３１又は表示体部１３２の内部に格納される。
【００６１】
表示装置１３３は、例えば、図１〜図３に示す液晶表示装置１を用いて構成できる。この液晶表示装置１によれば、ＦＰＣ基板の端子部と電子機器側のコネクタとの接続状態を端子部上のマークを観察することによって確認できるので、ＦＰＣ基板とコネクタとの間の接続不良を防止でき、液晶表示装置へ常に安定した電力供給及び信号供給を行うことができ、液晶表示装置によって常に安定した表示を行うことができる。従って、この液晶表示装置を用いて構成された電子機器においても安定した表示を行うことができる。
【００６２】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００６３】
（その他の実施形態）
以上、好ましい実施形態を挙げて本発明を説明したが、本発明はその実施形態に限定されるものでなく、請求の範囲に記載した発明の範囲内で種々に改変できる。
【００６４】
例えば、図１に示した実施形態では、液晶パネル２のための１つのＦＰＣ基板３の上に所定の回路及びＬＥＤ６を一緒に実装したが、液晶表示装置の種類によってはＬＥＤ６のための専用のＦＰＣ基板を液晶パネル２のためのＦＰＣ基板とは別に使用するものがある。このような構造の液晶表示装置において液晶パネル２のためのＦＰＣ基板に関して本発明を適用できることはもちろんである。また、ＬＥＤ６のための専用のＦＰＣ基板を用いる場合には、そのＦＰＣ基板を液晶パネル２のためのＦＰＣ基板に接続することが多いが、その接続部に本発明を適用することもできる。
【００６５】
さらに、液晶表示装置の中には、主たる表示を行うメインの液晶表示装置と、副次的な表示を行う液晶表示装置との２つの液晶表示装置を用いる構造のものがある。この構造の液晶表示装置では、メイン液晶表示装置用のＦＰＣ基板とサブ液晶表示装置用のＦＰＣ基板とが互いに接続されることがある。本発明は、このような場合のＦＰＣ基板同士の接続部分にも適用できる。
【００６６】
また、図１に示した実施形態では、液晶表示装置に本発明を適用したが、本発明は液晶表示装置以外の電気光学装置、例えば、ＥＬ装置、プラズマディスプレイ装置、その他のフラットパネルディスプレイにも適用できる。
【図面の簡単な説明】
【００６７】
【図１】本発明に係る電気光学装置の一実施形態を分解状態で示す斜視図である。
【図２】図１の電気光学装置を組み立てた状態を示す斜視図である。
【図３】図２の電気光学装置の断面図である。
【図４】（ａ）は図２の矢印Ｂに従った平面図であり、（ｂ）は図３の矢印Ｂに従った平面図である。
【図５】（ａ）は図３の矢印Ｄに従った平面図であり、（ｂ）は図５（ａ）の要部の拡大図である。
【図６】配線基板の端子部に設けるマークの変形例を示す図である。
【図７】本発明に係る電子機器の一実施形態を示すブロック図である。
【図８】本発明に係る電子機器の他の実施形態を示す斜視図である。
【符号の説明】
【００６８】
１．液晶表示装置（電気光学装置）、  ２．液晶パネル（電気光学パネル）、
３．ＦＰＣ基板（配線基板）、  ４．導光板、  ６．ＬＥＤ（光源）、  ７．回路部品、
８．フレーム、  ９，１０，１１．光学要素、  １２．シール材、  １３．端子部、
１３ａ，１３ｂ．側辺、  １３ｃ．先端辺、  １４．接地用ベタパターン、
１５．端子、  １６．第１基板、  １７．第２基板、  １８ａ，１８ｂ．偏光板、
１９．張出し部、  ２１．駆動用ＩＣ、  ２２．枠部材、  ２３．開口、
２４．コネクタ、  ２５．マーク、  ２６．切欠き、  ２９．開放部、
Ｅ１，Ｅ２．端縁、  Ｋ１．開口、  Ｓ１．表面，  Ｖ．表示領域
【図１】
2006278828.tif 000003
【図２】
2006278828.tif 000004
【図３】
2006278828.tif 000005
【図４】
2006278828.tif 000006
【図５】
2006278828.tif 000007
【図６】
2006278828.tif 000008
【図７】
2006278828.tif 000009
【図８】
2006278828.tif 000010